【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
コンピューター実行可能命令が具体化されている１つ以上のコンピューター記憶媒体であって、前記コンピューター実行可能命令が実行されると、コンテキストに基づいて選択されたコンテンツ項目を提供する方法を計算デバイスに実行させ、前記方法が、
ユーザーと関連した少なくとも１つのコンテキスト・インディケーターを受けるステップであって、前記少なくとも１つのコンテキスト・インディケーターは、１つ以上のキーワードを含み、該１つ以上のキーワードは、前記ユーザーが関与しかつ第１のアドレスに関連した最近のメッセージ会話から抽出され、前記１つ以上のキーワードは、前記第１のアドレスと関連した前記ユーザーによる活動しきい値量に基づいて抽出される、ステップと、
前記少なくとも１つのコンテンツ項目を前記ユーザーが見ることを希望する尤度を計算するために、前記少なくとも１つのコンテキスト・インディケーターを使用するステップであって、前記少なくとも１つのコンテンツ項目が、可視情報、可聴情報、または可視および可聴情報の組み合わせの内の１つである、ステップと、
コンテキスト認識サーチが要求されたという指示を受けるステップと、
前記コンテキスト認識サーチ要求に応答して、ユーザー入力サーチ問い合わせタームを全く受けずに、前記ユーザーが見ることを希望する前記尤度に基づいて、前記計算デバイスと関連付けられた出力のために、前記少なくとも１つのコンテンツ項目を自動的に提供するステップと、
を含む、１つ以上のコンピューター記憶媒体。
【請求項２】
請求項１記載の１つ以上のコンピューター記憶媒体において、前記少なくとも１つのコンテンツ項目が、少なくとも部分的に、可視情報を含み、前記方法が、更に、
前記コンテキスト認識サーチ要求に応答して、ユーザー・インターフェースと関連付けて前記可視情報を表示するステップと、
前記ユーザー・インターフェースと関連付けて、少なくとも１つのユーザー入力サーチ問い合わせタームを受けるように構成されているサーチ問い合わせ入力領域を表示するステップと、
を含む、１つ以上のコンピューター記憶媒体。
【請求項３】
請求項１記載の１つ以上のコンピューター記憶媒体において、前記コンテキスト認識サーチが要求されたという指示を受けるステップが、コンテキスト認識サーチ・セレクターが選択されたという指示を受けるステップを含み、前記コンテキスト認識サーチ・セレクターが、前記計算デバイスと関連付けられたハードウェア・ベースのサーチ・セレクター、ソフトウェア・ベースのサーチ・セレクター、ならびにハードウェア・ベースおよびソフトウェア・ベースのサーチ・セレクターの組み合わせの内の１つである、１つ以上のコンピューター記憶媒体。
【請求項４】
請求項１記載の１つ以上のコンピューター記憶媒体において、前記コンテキスト認識サーチ要求に応答して、前記計算デバイスと関連付けられた出力のために、前記少なくとも１つのコンテンツ項目を自動的に提供するステップが、前記少なくとも１つのコンテンツ項目のリモート・ソースにアクセスするステップ、前記少なくとも１つのコンテンツ項目のリモート・ソースから同期されたローカル・キャッシュにアクセスするステップ、またはこれらの組み合わせを含む、１つ以上のコンピューター記憶媒体。
【請求項５】
請求項１記載の１つ以上のコンピューター記憶媒体において、
前記少なくとも１つのコンテンツ項目を選択するために前記少なくとも１つのコンテキスト・インディケーターを使用するステップが、前記コンテキスト認識サーチが要求されたという指示を受ける前に、前記少なくとも１つのコンテキスト・インディケーターを選択するステップを含み、
前記方法が、更に、前記少なくとも１つのコンテンツ項目をキャッシュするステップを含む、１つ以上のコンピューター記憶媒体。
【請求項６】
請求項１記載の１つ以上のコンピューター記憶媒体において、前記コンテキスト認識サーチ要求に応答して、前記計算デバイスと関連付けられた出力のために、前記少なくとも１つのコンテンツ項目を自動的に提供するステップが、前記コンテキスト認識サーチ要求に応答して、前記計算デバイスと関連付けた出力のために、複数のコンテンツ項目から少なくとも一部を自動的に提供するステップを含む、１つ以上のコンピューター記憶媒体。
【請求項７】
請求項６記載の１つ以上のコンピューター記憶媒体において、前記方法が、更に、前記ユーザーが前記関連したコンテンツ項目の提示を望む可能性がどの位あるかを示す尤度を、前記複数のコンテンツ項目の各々と関連付けるステップを含み、前記計算デバイスと関連付けた出力のために前記複数のコンテンツ項目から少なくとも前記一部を自動的に提供するステップが、前記複数のコンテンツ項目の各々と関連付けられた前記尤度に基づいて、前記複数のコンテンツ項目の内全て未満を自動的に提供するステップを含む、１つ以上のコンピューター記憶媒体。
【請求項８】
請求項１記載の１つ以上のコンピューター記憶媒体であって、更に、前記少なくとも１つのコンテンツ項目を選択するために、プロファイル・データー、現ビュー・データー、またはプロファイル・データーおよび現ビュー・データーの組み合わせを使用するステップを含む、１つ以上のコンピューター記憶媒体。
【請求項９】
請求項１記載の１つ以上のコンピューター記憶媒体において、前記ユーザーと関連付けられた前記少なくとも１つのコンテキスト・インディケーターが、前記ユーザーの前記計算デバイスとの少なくとも１回の対話処理に基づく、１つ以上のコンピューター記憶媒体。
【請求項１０】
コンテンツ配信システムであって、
１つ以上のプロセッサーおよび１つ以上のコンピューター記憶媒体と関連した計算デバイスと、
前記計算デバイスと結合されているデーター・ストアと、
コンテンツ項目選択エンジンであって、
１）前記計算デバイスのユーザーと関連した少なくとも１つのコンテキスト・インディケーターを受け、前記少なくとも１つのコンテキスト・インディケーターは、前記ユーザーが関与した最近のメッセージ活動に関連し、前記最近のメッセージ活動は、前記ユーザーがメッセージを定期的に送る送り先のアドレスに関連し、
２）前記コンテキスト認識サーチが要求されたという指示を受ける前に、前記少なくとも１つのコンテキスト・インディケーターを入力として使用して少なくとも１つのコンテンツ項目を選択し、
３）コンテキスト認識サーチが要求されたという指示を受けたことに応答して、ユーザー入力サーチ問い合わせタームを全く受けずに、前記計算デバイスと関連付けられた出力のために、前記少なくとも１つのコンテンツ項目を前記ユーザーがサーチ項目を入力する前に自動的に提供する、
コンテンツ項目選択エンジンと、
を含む、コンテンツ配信システム。
【請求項１１】
請求項１０記載のコンテンツ配信システムであって、更に、コンテキスト認識サーチ・セレクターを含み、その選択によって、前記コンテキスト認識サーチが要求されたという指示を生成する、コンテンツ配信システム。
【請求項１２】
請求項１０記載のコンテンツ配信システムにおいて、前記コンテンツ項目選択エンジンが、前記少なくとも１つのコンテンツ項目を選択するために、プロファイル・データー、現ビュー・データー、またはプロファイル・データーおよび現ビュー・データーの組み合わせを使用する、コンテンツ配信システム。
【請求項１３】
請求項１０記載のコンテンツ配信システムにおいて、前記計算デバイスのユーザーと関連した前記少なくとも１つのコンテキスト・インディケーターが、前記ユーザーの前記計算デバイスとの少なくとも１回の対話に基づく、コンテンツ配信システム。
【請求項１４】
コンピューター実行可能命令が具体化されている１つ以上のコンピューター記憶媒体であって、前記コンピューター実行可能命令が実行されると、コンテキストに基づいて選択されたコンテンツ項目を提供する方法を計算デバイスに実行させ、前記方法が、
ユーザーと関連した複数のコンテキスト・インディケーターを受けるステップであって、第１のコンテキスト・インディケーターは、前記ユーザーが履歴的に行ったルーチン・ウェブ・サーチを含み、第２のコンテキスト・インディケーターは、前記ユーザーが関与しかつ第１のアドレスに関連した最近の会話に基づき、前記ユーザーによる活動しきい値量は、前記第１のアドレスと関連する、ステップと、
前記計算デバイスにおけるユーザー・インターフェースと関連付けて提示できる複数のコンテンツ項目を決定するステップであって、前記複数のコンテンツ項目の各々が、入力としての前記複数のコンテキスト・インディケーターの内少なくとも１つに基づいて決定される、ステップと、
前記ユーザーが前記関連したコンテンツ項目の提示を望む可能性がどの位あるかを示す尤度を、前記複数のコンテンツ項目の各々と関連付けるステップと、
コンテキスト認識サーチ・セレクターが選択されたという指示を受けるステップと、
前記コンテキスト認識サーチ・セレクターの選択に応答して、ユーザー入力サーチ問い合わせタームを全く受けずに、前記ユーザー・インターフェースの第１領域と関連付けて、前記複数のコンテンツ項目の一部を自動的に提示するステップであって、前記複数のコンテンツ項目の前記一部を含むコンテンツ項目が、相対的関連尤度に基づいて、提示のために選択される、ステップと、
前記コンテキスト認識サーチ・セレクターの選択に応答して、前記ユーザー・インターフェースの第２領域と関連付けて少なくとも１つのユーザー入力サーチ問い合わせタームを受けるように構成されているサーチ問い合わせターム領域を提示するステップと、
を含む、１つ以上のコンピューター記憶媒体。
【請求項１５】
請求項１４記載の１つ以上のコンピューター記憶媒体において、前記第２のコンテキスト・インディケーターが１時点に関連する、１つ以上のコンピューター記憶媒体。